(57)【特許請求の範囲】
【請求項１】
平面形状を呈し、側端（１２２）を有するカバー・プレート（１２）と、
前記カバー・プレート（１２）の下面（１２４）と接合された頂面（１４４）を有するディスプレイ画面（１４）であって、ディスプレイ画面（１４）の幅は、前記カバー・プレート（１２）の幅より大きく、前記ディスプレイ画面（１４）は、平面形状を呈し、前記カバー・プレート（１２）の前記側端（１２２）は、ディスプレイ画面１４（１４）に対して内向きにくぼみが付けられている、ディスプレイ画面（１４）と、
前記ディスプレイ画面（１４）の底面（１４６）と接合された頂部分（１６２）を有するブラケット（１６）と、
前記カバー・プレート（１２）の前記側端（１２２）と接合された側面（１８２）を有し、かつ前記ディスプレイ画面（１４）の非ディスプレイ領域（１４２）を遮蔽するように構成された装飾筐体（１８）と、
補強部品（１９）を備え、
前記補強部品（１９）は、第１の接合部分（１９２）と、前記第１の接合部分（１９２）から曲がる第２の接合部分（１９４）とを備え、
前記第１の接合部分（１９２）は、前記カバー・プレート（１２）と前記ディスプレイ画面（１４）の間に配置され、かつ前記装飾筐体（１８）と接合され、
前記ディスプレイ画面（１４）の側面（１４８）および前記ブラケット（１６）の側面（１６４）が前記第２の接合部分（１９４）に向き合う、
ディスプレイ画面組立品（１０）。
【請求項２】
前記カバー・プレート（１２）の前記側端（１２２）は、第１の傾斜面として構成され、前記装飾筐体（１８）の前記側面（１８２）は、第２の傾斜面として構成され、かつ前記第１の傾斜面と前記第２の傾斜面は、互いに取り付けられ、かつ接合される、請求項１に記載のディスプレイ画面組立品（１０）。
【請求項３】
前記第２の接合部分（１９４）は、前記ブラケット（１６）の側面（１６４）と接合される、請求項１に記載のディスプレイ画面組立品（１０）。
【請求項４】
前記補強部品（１９）は、前記第２の接合部分（１９４）から曲がる第３の接合部分（１９６）を更に備え、  
前記ブラケット（１６）は、前記ブラケット（１６）の前記頂部分（１６２）の反対側に後面（１６６）を備え、前記第３の接合部分（１９６）は、前記ブラケット（１６）の前記後面（１６６）に接する、請求項１に記載のディスプレイ画面組立品（１０）。
【請求項５】
前記補強部品（１９）は、インモールド射出成形を手段として前記装飾筐体（１８）と接合される、請求項３または４に記載のディスプレイ画面組立品（１０）。
【請求項６】
前記ディスプレイ画面（１４）の前記頂面（１４４）は、前記カバー・プレート（１２）の前記下面（１２４）とフルラミネーション様態で接合される、請求項１に記載のディスプレイ画面組立品（１０）。
【請求項７】
前記ディスプレイ画面（１４）の前記頂面（１４４）は、光学透明接着剤を手段として前記カバー・プレート（１２）の前記下面（１２４）にラミネーションされる、請求項１に記載のディスプレイ画面組立品（１０）。
【請求項８】
前記ディスプレイ画面（１４）の前記底面（１４６）は、前記ブラケット（１６）の前記頂部分（１６２）と接着様態で接合される、請求項１に記載のディスプレイ画面組立品（１０）。
【請求項９】
前記カバー・プレート（１２）は、タッチスクリーン・カバー・プレートとして構成される、請求項１に記載のディスプレイ画面組立品（１０）。
【請求項１０】
請求項１から９のいずれか一項に記載のディスプレイ画面組立品（１０）と、
前記ディスプレイ画面組立品（１０）と後部カバー（２０）の間の収容スペース（２０２）を画定するように前記ディスプレイ画面組立品（１０）に結合された後部カバー（２０）とを備える電子デバイス（１００）。
【請求項１１】
バッテリ（３０）をさらに備える電子デバイス（１００）であって、
前記バッテリ（３０）は、前記収容スペース（２０２）に収容される、請求項１０に記載の電子デバイス（１００）。
【発明の詳細な説明】
【技術分野】
【０００１】
本開示は、モバイル電子デバイスの技術分野に関し、より詳細には、ディスプレイ画面組立品、電子デバイス、およびディスプレイ画面組立品の組立て方法に関する。
【背景技術】
【０００２】
技術の発展とともに、スマートフォンが、ますます広く使用され、かつますます多くの機能を有し、それ故、人々の日常生活において必要な電子デバイスとなっている。既存のスマートフォンは、低い画面対本体比（ｓｃｒｅｅｎ−ｔｏ−ｂｏｄｙ  ｒａｔｉｏ）を有し、したがって、ユーザのユーザ体験は、劣悪である。
【発明の概要】
【発明が解決しようとする課題】
【０００３】
本開示の実施形態は、ディスプレイ画面組立品、電子デバイス、およびディスプレイ画面組立品の組立て方法を提供する。
【課題を解決するための手段】
【０００４】
本開示の実施形態の第１の態様によれば、ディスプレイ画面組立品が提供される。ディスプレイ画面組立品は、カバー・プレートと、ディスプレイ画面と、ブラケットと、装飾筐体とを含む。カバー・プレートは、側端を含む。ディスプレイ画面の頂面は、カバー・プレートの下面と接合され、ディスプレイ画面の幅は、カバー・プレートの幅より広く、かつカバー・プレートの側端は、ディスプレイ画面に対して内向きにくぼみが付けられている（ｉｎｄｅｎｔｅｄ）。ブラケットは、頂部分を含み、かつディスプレイ画面の底面が、ブラケットの頂部分と接合される。装飾筐体は、カバー・プレートの側端と接合された側面を含み、かつディスプレイ画面の非ディスプレイ領域を遮蔽するように構成される。
【０００５】
一部の実施形態において、カバー・プレートの側端は、第１の傾斜面として構成され、装飾筐体の側面は、第２の傾斜面として構成され、かつ第１の傾斜面と第２の傾斜面は、互いに取り付けられ、かつ接合される。
【０００６】
一部の実施形態において、ディスプレイ画面組立品は、補強部品をさらに備え、補強部品は、第１の接合部分と、第１の接合部分から曲がる第２の接合部分とを備え、第１の接合部分は、カバー・プレートとディスプレイ画面の間に配置され、かつ装飾筐体と接合され、第２の接合部分は、ブラケットの側面と接合される。
【０００７】
一部の実施形態において、ディスプレイ画面組立品は、補強部品をさらに備え、補強部品は、第１の接合部分と、第１の接合部分から曲がる第２の接合部分と、第２の接合部分から曲がる第３の接合部分とを備え、第１の接合部分は、カバー・プレートとディスプレイ画面の間に配置され、かつ装飾筐体と接合され、ブラケットは、ブラケットの頂部分の反対側に後面を備え、第３の接合部分は、ブラケットの後面に接する。
【０００８】
一部の実施形態において、補強部品は、インモールド射出成形を手段として装飾筐体と接合される。
【０００９】
一部の実施形態において、ディスプレイ画面の頂面は、カバー・プレートの下面とフルラミネーション様態で接合される。
【００１０】
一部の実施形態において、ディスプレイ画面の頂面は、光学透明接着剤を介してカバー・プレートの下面にラミネーションされる。
【００１１】
一部の実施形態において、ディスプレイ画面の底面は、ブラケットの頂部分と接着様態で接合される。
【００１２】
一部の実施形態において、カバー・プレートは、タッチスクリーン・カバー・プレートとして構成される。
【００１３】
本開示の第２の態様によれば、電子デバイスが提供される。電子デバイスは、前述の実施形態によるディスプレイ画面組立品と、ディスプレイ画面組立品と後部カバーの間の収容スペースを画定するようにディスプレイ画面組立品に結合された後部カバーとを含む。
【００１４】
一部の実施形態において、電子デバイスは、バッテリをさらに含み、バッテリは、収容スペースに収容される。
【００１５】
本開示の実施形態の第３の態様によれば、ディスプレイ画面組立品を組み立てるための組立て方法が提供される。組立て方法は：
頂部分を有するブラケットを提供すること、
側面を有する装飾筐体を提供すること、
ディスプレイ画面およびカバー・プレートを提供することであって、カバー・プレートは、側端を有し、ディスプレイ画面は、カバー・プレートの幅より大きい幅を有する、こと、
ディスプレイ画面およびカバー・プレートをブラケットの頂部分の上に取り付けることであって、カバー・プレートの側端は、ディスプレイ画面に対して内向きにくぼみが付けられている、こと、および
装飾筐体の側面をカバー・プレートの側端に、その側面とその側端の間に接着剤を施すことによって接合すること、およびディスプレイ画面の非ディスプレイ領域を装飾筐体によって遮蔽することを含む。
【００１６】
一部の実施形態において、装飾筐体を提供することは、
補強部品を提供すること、および
装飾筐体を形成するように補強部品をインモールド射出成形することであって、装飾筐体は、補強部品と接合される、ことを含む。
【００１７】
一部の実施形態において、ディスプレイ画面およびカバー・プレートをブラケットの頂部分の上に取り付けることは、
ディスプレイ画面をブラケットの頂部分の上に接着すること、および
カバー・プレートをディスプレイ画面の上にフルラミネーションすること（ｆｕｌｌｙ  ｌａｍｉｎａｔｉｎｇ）を含む。
【００１８】
いくつかの実施形態において、ディスプレイ画面およびカバー・プレートをブラケットの頂部分の上に取り付けることは、
カバー・プレートをディスプレイ画面の上にフルラミネーションすること、および
カバー・プレート、およびカバー・プレートがフルラミネーションされたディスプレイ画面をブラケットの頂部分の上に取り付けることを含む。
【００１９】
本開示の実施形態によるディスプレイ画面組立品、電子デバイス、およびディスプレイ画面組立品の組立て方法において、カバー・プレートは、極めて狭い（ｕｌｔｒａ−ｎａｒｒｏｗ）黒インク端部または黒インクさえない端部を有し、したがって、ユーザは、画面上に極めて狭い黒インク端部または黒インクなしの端部を見る。このため、画面対本体比が増加され、製品品質が高められ、かつユーザ体験が向上させられる。
【００２０】
本開示の実施形態のさらなる態様および利点は、以下の説明において部分的に与えられ、以下の説明から部分的に明白となり、または本開示の実施形態の実践から習得される。
【００２１】
本開示の実施形態のこれら、およびその他の態様および利点は、以下の図面を参照して行われる説明から明白となり、より容易に理解される。
【図面の簡単な説明】
【００２２】
【図１】本開示の実施形態による電子デバイスを示す透視図である。
【図２】本開示の実施形態による電子デバイスを示す平面図である。
【図３】線ＩＩＩ−ＩＩＩに沿って切り取られた図２における電子デバイスを示す断面図である。
【図４】図３における部分ＩＶを示す拡大図である。
【図５】本開示の一部の実施形態による電子デバイスを示す断面図である。
【図６】本開示の一部の実施形態によるディスプレイ画面組立品の組立て方法を示すフローチャートである。
【図７】本開示の一部の実施形態によるディスプレイ画面組立品の組立て方法を示すフローチャートである。
【図８】本開示の一部の実施形態によるディスプレイ画面組立品の組立て方法を示すフローチャートである。
【図９】本開示の一部の実施形態によるディスプレイ画面組立品の組立て方法を示すフローチャートである。
【発明を実施するための形態】
【００２３】
本開示の実施形態が、詳細に説明され、実施形態の例が、同一の、もしくは同様の参照符号が、同一の、もしくは同様の部材、または同一の、もしくは同様の機能を有する部材を示すのに使用される、図面に示される。図面を参照して本明細書において説明される実施形態は、説明的であり、例示的であり、かつ本開示を一般的に理解するのに使用される。実施形態は、本開示を限定するように解釈されるべきではない。
【００２４】
本明細書において、「中心の」、「縦方向の」、「横方向の」、「長さ」、「幅」、「厚さ」、「上方」、「下方」、「前」、「後ろ」、「左」、「右」、「垂直の」、「水平の」、「頂側」、「底側」、「内側」、「外側」、「時計回り」、および「反時計回り」などの用語は、そのときに説明される、または検討中の図面に示される向きを参照するものと解釈されたい。これらの相対的用語は、説明の便宜のためであり、本開示が特定の向きで解釈されることも、操作されることも要求しない。さらに、「第１の」および「第２の」などの用語は、説明の目的で本明細書において使用され、相対的な重要度もしくは有意性を示す、もしくは暗示するように意図されていない。このため、「第１の」および「第２の」によって限定される特徴は、これらの特徴のうちの１つまたは複数を含むことを示す、もしくは暗示するように意図される。本開示の説明において、「複数の」という用語は、特に明記されない限り、２つ以上を意味する。
【００２５】
本開示において、特に明記されない限り、または別段、限定されない限り、「取り付けられた」、「接続された」、「固定された」などの用語は、広く使用され、例えば、固定された接続、着脱可能な接続、または一体化した接続であってよく、機械的接続もしくは電気的接続であってもよく、直接の接続、もしくは介在する構造体を介した間接の接続であってもよく、２つの要素の内部の連絡であってもよい。前述の用語は、特定の状況に応じて当業者によって理解されてよい。
【００２６】
本開示において、特に明記されない限り、第１の特徴が第２の特徴の「上」にある構造は、第１の特徴が第２の特徴と直接に接触している実施形態を含んでよく、第１の特徴と第２の特徴が互いに直接に接触していないように、さらなる特徴が第１の特徴と第２の特徴の間に形成された実施形態を含んでもよい。さらに、第２の特徴の「上の」、「上方の」、または「頂部の」第１の特徴は、第１の特徴が第２の特徴の真っ直ぐ「上」、「上方」、もしくは「頂部」にある実施形態を含んでよく、第１の特徴が第２の特徴の真っ直ぐ「上」、「上方」、もしくは「頂部」にはない実施形態を含んでもよく、または第１の特徴が、第２の特徴の海抜（ｓｅａ  ｌｅｖｅｌ  ｅｌｅｖａｔｉｏｎ）より大きい海抜を有することを単に意味する。その一方で、第２の特徴の「下方の」、「下の」、または「底部の」第１の特徴は、第１の特徴が第２の特徴の真っ直ぐ「下方」、「下」、もしくは「底部」にある実施形態を含んでよく、第１の特徴が第２の特徴の真っ直ぐ「下方」、「下」、もしくは「底部」にはない実施形態を含んでもよく、または第１の特徴が、第２の特徴の海抜より小さい海抜を有することを単に意味する。
【００２７】
以下の説明は、本開示の様々な構造を実現する様々な実施形態および例を提供する。本開示を単純化するために、特定の例における構成要素および構成が詳述される。無論、それらの構成要素および構成は、例示的であり、本開示を限定するようには意図されていない。さらに、本開示の様々な例において参照符号および参照文字が、単純明瞭のために繰り返されてよく、このことは、様々な実施形態および／または構成の間の関係を示すものと解釈されるべきではない。さらに、本開示は、様々な特定のプロセスおよび材料の例を提供するが、他のプロセスの適用可能性、および／または他の材料の利用が、当業者には想定可能である。
【００２８】
図１から図３に示されるとおり、本開示の実施形態による電子デバイス１００は、ディスプレイ画面組立品１０と、後部カバー２０と、バッテリ３０とを含む。電子デバイス１００は、モバイル電話、タブレット・コンピュータ、スマート・ウオッチなどであってよい。
【００２９】
一部の実施形態において、ディスプレイ画面組立品１０は、画像、テキストなどを表示するように構成される。さらに、ディスプレイ画面組立品１０は、ユーザのタッチ操作を受け取るように構成されてもよい。図５および図６に示されるとおり、ディスプレイ画面組立品１０は、カバー・プレート１２と、ディスプレイ画面１４と、ブラケット１６と、装飾筐体１８と、補強部品１９とを含む。
【００３０】
図４に示されるとおり、カバー・プレート１２は、タッチスクリーン・カバー・プレートとして構成される。すなわち、タッチスクリーンのタッチ制御回路が、カバー・プレート１２に組み込まれ、タッチ制御機能は、カバー・プレート１２をクリックすることによって実現されてよい。カバー・プレート１２は、ガラス、サファイア、ポリ塩化ビニル（ＰＶＣ）などの材料で作られてよい。一部の実施形態において、カバー・プレート１２は、構造体の２つの層、すなわち、タッチパネルと、タッチパネル上に配置された保護カバーシートとを有するように構成される。タッチパネルは、ディスプレイ画面組立品１０のタッチ操作を実現するように構成され、保護カバーシートは、タッチパネル上の直接のタッチ操作のためにタッチパネルが損傷されることから保護するように構成される。カバー・プレート１２の側端１２２は、傾斜面として構成される。すなわち、カバー・プレート１２は、台形の断面を有する。カバー・プレート１２の上面１２６の面積は、カバー・プレート１２の下面１２４の面積より小さい。装飾筐体１８の側面１８２もまた、別の傾斜面として構成される。これらの前述の２つの傾斜面は、装飾筐体１８がカバー・プレート１２に結合されるように、互いに取り付けられ、かつ接合される。
【００３１】
ディスプレイ画面１４の頂面１４４が、カバー・プレート１２の下面１２４に接合される。カバー・プレート１２の下面１２４とディスプレイ画面１４の頂面１４４は、フルラミネーション様態でラミネーションされてよい。一部の実施形態において、カバー・プレート１２の下面１２４とディスプレイ画面１４の頂面１４４は、光学透明接着剤（ＯＣＡ）を手段としてラミネーションされてよい。ディスプレイ画面１４の幅は、カバー・プレート１２の幅より大きく、カバー・プレート１２の側端１２２は、ディスプレイ画面１４に対して内向きにくぼみが付けられている。すなわち、カバー・プレート１２は、ディスプレイ画面１４を完全に覆ってはならない。ディスプレイ画面１４とカバー・プレート１２は、フルラミネーション様態でラミネーションされる。ディスプレイ画面１４は、液晶ディスプレイ（ＬＣＤ）、有機発光ダイオード（ＯＬＥＤ）ディスプレイ画面、またはフレキシブルＯＬＥＤディスプレイ画面として構成されてよい。ディスプレイ画面１４は、ディスプレイ領域１４１と、非ディスプレイ領域１４２とを含み、ディスプレイ領域１４１は、画像、テキストなどを表示するためにディスプレイ画面組立品１０の機能を実現するように構成され、非ディスプレイ領域１４２は、配線のために構成される。
【００３２】
ブラケット１６は、頂部分１６２を含み、ディスプレイ画面１４の底面１４６が、ブラケットの頂部分１６２と接合される。一部の実施形態において、ディスプレイ画面１４の底面１４６は、接着様態でブラケットの頂部分１６２と接合される。一部の実施形態において、接着様態は、接着剤を施すこと、および／または両面接着剤を使用することによって実現されてよい。
【００３３】
装飾筐体１８の側面１８２が、側面１８２とカバー・プレート１２の側端１２２の間に接着剤を施すことによってカバー・プレート１２の側端１２２と接合され、それ故、装飾筐体１８は、ディスプレイ画面１４の非ディスプレイ領域１４２を遮蔽する。装飾筐体１８の側面１８２は、カバー・プレート１２の側端１２２の傾斜角に近似する、またはその傾斜角と合致する傾斜角を有する。例えば、装飾筐体１８の側面１８２とカバー・プレート１２の側端１２２はともに同一の側に向かって傾斜する、またはともにカバー・プレート１２の下面１２４に対して垂直である。装飾筐体１８は、カバー・プレートの側端１２２に向かって突出して、ディスプレイ画面組立品１０においてディスプレイ画面１４を囲い込むようにカバー・プレート１２とディスプレイ画面１４の間の幅の差を補償する。装飾筐体１８の外面１８６は、円弧形状として構成される。一部の実施形態において、装飾筐体１８は、カバー・プレート１２の側端１２２を囲んでよい。装飾筐体１８の材料は、硬質プラスチック・アクリロニトリル・ブタジエン・スチレン（ＡＢＳ）共重合体、ポリ塩化ビニル（ＰＶＣ）、もしくはポリカーボネート（ＰＣ）などのプラスチックであってよく、またはシリカゲルもしくはポリオレフィン・エラストマ（ＰＯＥ）などの柔軟性のある材料であってよい。一部の実施形態において、装飾筐体１８の材料は、前述の材料に限定されず、実際的な応用例における必要性に応じて適切な材料が選択されてよい。
【００３４】
補強部品１９は、第１の接合部分１９２と、第１の接合部分１９２から曲がる第２の接合部分１９４と、第２の接合部分１９４から曲がる第３の接合部分１９６とを含む。第１の接合部分１９２は、カバー・プレート１２とディスプレイ画面１４の間に配置され、かつ装飾筐体１８と接合される。一部の実施形態において、補強部品１９は、インモールド射出成形を手段として装飾筐体１８と接合される。ブラケット１６は、頂部分１６２の反対側に後面１６６を含む。第３の接合部分１９６は、ブラケット１６の後面１６６に接し、かつブラケット１６の後面１６６にひっかけられる。一部の実施形態において、補強部品１９は、「匚」の形状の断面を有し、ディスプレイ画面１４の側面１４８、およびブラケット１６の側面１６４が、補強部品１９の凹所（ｒｅｃｅｓｓ）に埋め込まれ、かつ第２の接合部分１９４に向き合う。すなわち、補強部品１９の断面は、長方形の１つの側で開かれた長方形の形状を有し、ディスプレイ画面１４の側面１４８、およびブラケット１６の側面１６４は、開いた長方形に挿入され、かつ第２の接合部分１９４に向き合う。本開示の実施形態において、補強部品１９は、鋼鉄シート、マグネシウム合金シートなどの曲げることできる金属シートであってよい。
【００３５】
後部カバー２０は、収容スペース２０２を画定するようにディスプレイ画面組立品１０と接合され、バッテリ３０は、収容スペースに収容される。収容スペース２０２は、バッテリ３０のサイズおよび形状とそれぞれ適合させられたサイズおよび形状を有する。一部の実施形態において、後部カバー２０は、接着すること、はめ込むこと（ｓｎａｐｐｉｎｇ）、またはねじ留めすることを手段としてブラケット１６または装飾筐体１８に接合されてよい。一部の実施形態において、後部カバー２０とブラケット１６の間、および／または後部カバー２０と装飾筐体１８の間の接続様態は、前述の種類に限定されない。後部カバー２０は、実際的な応用例において適切な様態を選択することによってディスプレイ画面組立品１０に接合されてよい。後部カバー２０は、鋼鉄、アルミニウム合金、およびマグネシウム合金などの金属材料で作られてよい。一部の実施形態において、後部カバー２０は、アクリロニトリル・ブタジエン・スチレン（ＡＢＳ）共重合体、ポリ塩化ビニル（ＰＶＣ）、およびポリカーボネート（ＰＣ）などの非金属材料で作られてもよい。一部の実施形態において、後部カバー２０の材料は、前述される材料に限定されず、適切な材料が、実際の使用における要件に応じて選択されてよい。
【００３６】
本開示の実施形態によるディスプレイ画面組立品１０において、補強部品１９が、インモールド射出成形を手段として装飾筐体１８とまず接合され、次に、ディスプレイ画面１４とカバー・プレート１２がフルラミネーション様態でラミネーションされ、さらに、ディスプレイ画面の底面１４６が、接着様態でブラケット１６の頂部分１６２と接合される。補強部品１９の下端が、第３の接合部分１９６を形成するようにブラケット１６の後面に向けて曲げられ、第３の接合部分１９６は、ブラケット１６の後面１６６に接し、かつブラケット１６の後面１６６にひっかけられ、したがって、補強部品の断面は、「匚」の形状を有する。ディスプレイ画面１４の側面１４８、およびブラケット１６の側面１６４が、補強部品１９の凹所に埋め込まれ、かつ第２の接合部分１９４に向き合い、したがって、ディスプレイ画面組立品１０が形成される。一部の実施形態において、ディスプレイ画面１４は、頂部分１６２とまず接合されてもよく、次に、カバー・プレート１２が、ディスプレイ画面１４にフルラミネーションされる。
【００３７】
本開示の実施形態によるディスプレイ画面組立品１０において、装飾筐体１８は、カバー・プレート１２の側端１２２に向かって突出し、かつ装飾筐体１８の側面１８２は、側面１８２とカバー・プレート１２の側端１２２の間に接着剤を施すことによってカバー・プレート１２の側端１２２と接合されて、ディスプレイ画面１４の非ディスプレイ領域１４２を遮蔽するようにする。しかし、関連技術におけるカバー・プレート１２は、ディスプレイ画面１４の非ディスプレイ領域１４２、およびその他の内部構造を遮蔽するようにその周辺部において黒インク端部の円がスクリーン印刷される。本開示の実施形態によるディスプレイ画面組立品１０において、装飾筐体１８の構造、カバー・プレート１２、およびディスプレイ画面１４は、妥当に設計されるので、装飾筐体１８の側面１８２は、ディスプレイ画面１４の非ディスプレイ領域１４２、およびその他の内部構造を遮蔽するようにカバー・プレート１２の側端１２２と接合され、これにより、関連技術における黒インク端部の機能に取って代わり、黒インク端部の幅を低減し、かつ黒インク端部を極めて狭くする、もしくは黒インク端部を解消しさえする。
【００３８】
本開示の実施形態によるディスプレイ画面組立品１０は、カバー・プレート１２の黒インク端部が極めて狭いことを可能にする、またはカバー・プレート１２の黒インク端部を解消しさえする。本開示の実施形態によるディスプレイ画面組立品１０が電子デバイス１００に適用された場合、ユーザは、画面上に極めて狭い黒インク端部を見る、または黒インク端部を全く見ない。このため、画面対本体比が増加され、製品品質が高められ、かつユーザ体験が向上させられる。
【００３９】
さらに、補強部品１９の第１の接合部分１９２は、装飾筐体１８に接続され、装飾筐体１８の側面１８２は、側面１８２とカバー・プレート１２の側端１２２の間に接着剤を施すことによってカバー・プレート１２の側端１２２と接合され、したがって、補強部品１９は、カバー・プレート１２に間接的に接続される。さらに、第３の接合部分１９６は、ブラケット１６の後面にひっかけられ、ディスプレイ画面１４の側面１４８、およびブラケット１６の側面１６４が、補強部品１９の凹所に埋め込まれ、かつ第２の接合部分１９４に向き合い、したがって、補強部品１９は、カバー・プレート１２をブラケット１６に接続する。電子デバイス１００が急速に上向きに投げられた、落下した、または他の物体と衝突した場合、ディスプレイ画面１４に働かせられた力が、ディスプレイ画面１４を保護するように低減されることができる。
【００４０】
さらに、装飾筐体１８の側面１８２は、側面１８２とカバー・プレート１２の側端１２２の間に接着剤を施すことによってカバー・プレート１２の側端１２２と接合される。接着剤を施すこの接合様態は、装飾筐体１８の側面１８２がカバー・プレート１２の側端１２２に固定的に結合されることを可能にし、防水機能を実現する良好な密閉性能を提供することもする。このため、電子デバイス１００の防水性能が高められ、かつユーザ体験がさらに向上させられる。
【００４１】
さらに、電子デバイス１００が、モバイル電話、タブレット・コンピュータ、またはその他のハンドヘルド電子デバイスとして構成される場合、円弧形状を有する装飾筐体１８の外面１８６は、手で電子デバイス１００を持つ手触りを向上させることができる。このため、ユーザは、電子デバイス１００を手で心地よく持つことができる。
【００４２】
図５に示されるとおり、一部の実施形態において、補強部品１９は、第１の接合部分１９２と、第１の接合部分１９２から曲がる第２の接合部分１９４とを含む。第１の接合部分１９２は、カバー・プレート１２とディスプレイ画面１４の間に配置され、かつ装飾筐体１８と接合される。一部の実施形態において、補強部品１９は、インモールド射出成形を手段として装飾筐体１８と接合される。第２の接合部分１９４は、接着様態でブラケット１６の側面１６４と接合されてよい。
【００４３】
図４から図６に示されるとおり、本開示の実施形態による組立て方法が、ディスプレイ画面組立品１０を組み立てるために使用され、かつ組立て方法は、以下のブロックにおけるアクションを含む。
【００４４】
ブロックＳ１１において：ブラケット１６が提供され、ブラケット１６は、頂部分１６２を含む。
【００４５】
ブロックＳ１３において：装飾筐体１８が提供され、装飾筐体は、側面１８２を含む。
【００４６】
ブロックＳ１５において：ディスプレイ画面１４およびカバー・プレート１２が提供され、カバー・プレート１２は、側端１２２を含み、ディスプレイ画面１４は、カバー・プレート１２の幅より大きい幅を有する。
【００４７】
ブロックＳ１７において：ディスプレイ画面１４およびカバー・プレート１２が、頂部分１６２に取り付けられ、カバー・プレート１２の側端は、ディスプレイ画面１４に対して内向きにくぼみが付けられている。
【００４８】
ブロックＳ１９において：装飾筐体１８の側面１８２が、側面１８２と側端１２２の間に接着剤を施すことによって側端１２２と接合され、装飾筐体１８は、ディスプレイ画面１４の非ディスプレイ領域１４２を遮蔽する。
【００４９】
カバー・プレート１２は、タッチスクリーン・カバー・プレートとして構成される。すなわち、タッチスクリーンのタッチ制御回路が、カバー・プレート１２に組み込まれ、タッチ制御機能は、カバー・プレート１２をクリックすることによって実現されてよい。カバー・プレート１２は、ガラス、サファイア、ポリ塩化ビニル（ＰＶＣ）などの材料で作られてよい。一部の実施形態において、カバー・プレート１２は、構造体の２つの層、すなわち、タッチパネルと、タッチパネル上に配置された保護カバーシートとを有するように構成される。タッチパネルは、ディスプレイ画面組立品１０のタッチ操作を実現するように構成され、保護カバーシートは、タッチパネル上の直接のタッチ操作のためにタッチパネルが損傷されることから保護するように構成される。カバー・プレート１２の側端１２２は、傾斜面として構成される。すなわち、カバー・プレート１２は、台形の断面を有する。カバー・プレート１２の上面１２６の面積は、カバー・プレート１２の下面１２４の面積より小さい。装飾筐体１８の側面１８２もまた、別の傾斜面として構成される。これらの前述の２つの傾斜面は、装飾筐体１８がカバー・プレート１２に結合されるように、互いに取り付けられ、かつ接合される。
【００５０】
ブラケット１６は、頂部分１６２を含み、ディスプレイ画面１４の底面１４６が、ブラケット１６の頂部分１６２と接合される。一部の実施形態において、ディスプレイ画面１４の底面１４６は、接着様態でブラケットの頂部分１６２に接合される。一部の実施形態において、接着様態は、接着剤を施すこと、および／または両面接着剤を使用することによって実現されてよい。
【００５１】
装飾筐体１８の側面１８２は、カバー・プレート１２の側端１２２の傾斜角に近似する、またはその傾斜角と合致する傾斜角を有する。例えば、装飾筐体１８の側面１８２とカバー・プレート１２の側端１２２はともに同一の側に向かって傾斜する、またはともにカバー・プレート１２の下面１２４に対して垂直である。装飾筐体１８は、カバー・プレートの側端１２２に向かって突出して、ディスプレイ画面組立品１０においてディスプレイ画面１４を囲い込むようにカバー・プレート１２とディスプレイ画面１４の間の幅の差を補償する。装飾筐体１８の外面１８６は、円弧形状として構成される。一部の実施形態において、装飾筐体１８は、カバー・プレート１２の側端１２２を囲んでよい。装飾筐体１８の材料は、硬質プラスチック・アクリロニトリル・ブタジエン・スチレン（ＡＢＳ）、ポリ塩化ビニル（ＰＶＣ）、もしくはポリカーボネート（ＰＣ）などのプラスチックであってよく、またはシリカゲルもしくはポリオレフィン・エラストマ（ＰＯＥ）などの柔軟性のある材料であってよい。一部の実施形態において、装飾筐体１８の材料は、前述の材料に限定されず、実際的な応用例における必要性に応じて適切な材料が選択されてよい。
【００５２】
図７と組み合わせて、一部の実施形態において、ブロックＳ１３におけるアクションは、以下のブロックにおけるアクションを含む。
【００５３】
ブロックＳ１３１において：補強部品１９が提供される。
【００５４】
ブロックＳ１３３において：補強部品１９は、装飾筐体１８を形成するようにインモールド射出成形され、装飾筐体１８は、補強部品１９と接合される。すなわち、補強部品１９は、モールド（ｍｏｌｄ）の中にまず置かれ、次に、射出成形によって装飾筐体１８が形成され、かつ補強部品１９に接合される。
【００５５】
補強部品１９は、第１の接合部分１９２と、第１の接合部分１９２から曲がる第２の接合部分１９４と、第２の接合部分１９４から曲がる第３の接合部分１９６とを含む。第１の接合部分１９２は、カバー・プレート１２とディスプレイ画面１４の間に配置される。ブラケット１６は、頂部分１６２の反対側に後面１６６を含み、第３の接合部分１９６は、ブラケット１６の後面１６６に接し、かつブラケット１６の後面１６６にひっかけられる。一部の実施形態において、補強部品１９は、「匚」の形状の断面を有し、ディスプレイ画面１４の側面１４８、およびブラケット１６の側面１６４が、補強部品１９の凹所に埋め込まれ、かつ第２の接合部分１９４に向き合う。すなわち、補強部品１９の断面は、長方形の１つの側で開かれた長方形の形状を有し、ディスプレイ画面１４の側面１４８、およびブラケット１６の側面１６４は、開いた長方形に挿入され、かつ第２の接合部分１９４に向き合う。本開示の実施形態において、補強部品１９は、鋼鉄シート、マグネシウム合金シートなどの曲げることできる金属シートであってよい。一部の実施形態において、補強部品１９は、第１の接合部分１９２と、第１の接合部分１９２から曲がる第２の接合部分１９４とを含んでもよい。第１の接合部分１９２は、カバー・プレート１２とディスプレイ画面１４の間に配置され、かつ装飾筐体１８と接合される。第２の接合部分１９２は、接着様態でブラケット１６の側面１６４と接合されてよい。
【００５６】
図８と組み合わせて、一部の実施形態において、ブロックＳ１７におけるアクションは、以下のブロックにおけるアクションを含む。
【００５７】
ブロックＳ１７１において：ディスプレイ画面１４が、頂部分１６２上に接着される。
【００５８】
ブロックＳ１７３において：カバー・プレート１２が、ディスプレイ画面１４上にフルラミネーションされる。
【００５９】
カバー・プレート１２の下面１２４とディスプレイ画面の頂面１４４は、光学透明接着剤（ＯＣＡ）を手段としてラミネーションされてよい。ディスプレイ画面１４の幅は、カバー・プレート１２の幅より大きく、カバー・プレート１２の側端１２２は、ディスプレイ画面１４に対して内向きにくぼみが付けられている。すなわち、カバー・プレート１２は、ディスプレイ画面１４を完全に覆ってはならない。ディスプレイ画面１４は、液晶ディスプレイ（ＬＣＤ）、有機発光ダイオード（ＯＬＥＤ）ディスプレイ画面、またはフレキシブルＯＬＥＤディスプレイ画面として構成されてよい。ディスプレイ画面１４は、ディスプレイ領域１４１と、非ディスプレイ領域１４２とを含み、ディスプレイ領域１４１は、画像、テキストなどを表示するためにディスプレイ画面組立品１０の機能を実現するように構成され、非ディスプレイ領域１４２は、配線のために構成される。
【００６０】
本開示の実施形態による組立て方法によって組み立てられたディスプレイ画面組立品１０は、カバー・プレート１２の黒インク端部が極めて狭いことを可能にする、またはカバー・プレート１２の黒インク端部を解消しさえし、したがって、本開示の実施形態によるディスプレイ画面組立品１０が電子デバイス１００に適用された場合、ユーザは、画面上に極めて狭い黒インク端部を見る、または黒インク端部を全く見ない。このため、画面対本体比が増加され、製品品質が高められ、かつユーザ体験が向上させられる。
【００６１】
さらに、補強部品１９の第１の接合部分１９２は、装飾筐体１８に接続され、装飾筐体１８の側面１８２は、側面１８２とカバー・プレート１２の側端１２２の間に接着剤を施すことによってカバー・プレート１２の側端１２２と接合され、したがって、補強部品１９は、カバー・プレート１２に間接的に接続される。さらに、第３の接合部分１９６は、ブラケット１６の後面にひっかけられ、ディスプレイ画面１４の側面１４８、およびブラケット１６の側面１６４が、補強部品１９の凹所に埋め込まれ、かつ第２の接合部分１９４に向き合い、したがって、補強部品１９は、カバー・プレート１２をブラケット１６に接続する。電子デバイス１００が急速に上向きに投げられた、落下した、または他の物体と衝突した場合、ディスプレイ画面１４に働かせられた力が、ディスプレイ画面１４を保護するように低減されることができる。
【００６２】
さらに、装飾筐体１８の側面１８２が、側面１８２とカバー・プレート１２の側端１２２の間に接着剤を施すことによってカバー・プレート１２の側端１２２と接合される。接着剤を施すこの接合様態は、装飾筐体１８の側面１８２がカバー・プレート１２の側端１２２に固定的に結合されることを可能にし、防水機能を実現する良好な密閉性能を提供することもする。このため、電子デバイス１００の防水性能が高められ、かつユーザ体験がさらに向上させられる。
【００６３】
さらに、電子デバイス１００が、モバイル電話、タブレット・コンピュータ、またはその他のハンドヘルド電子デバイスとして構成される場合、円弧形状を有する装飾筐体１８の外面１８６は、手で電子デバイス１００を持つ手触りを向上させることができる。このため、ユーザは、電子デバイス１００を手で心地よく持つことができる。
【００６４】
図９と組み合わせて、一部の実施形態において、ブロックＳ１７におけるアクションは、以下のブロックにおけるアクションを含む。
【００６５】
ブロックＳ１７２において：カバー・プレート１２が、ディスプレイ画面１４の上にフルラミネーションされる。
【００６６】
ブロックＳ１７４において：カバー・プレート１２、およびカバー・プレート１２がフルラミネーションされたディスプレイ画面１４が、頂部分１６２の上に取り付けられる。
【００６７】
すなわち、ディスプレイ画面１４が、頂部分１６２にまず接着されてよく、次に、カバー・プレート１２が、ディスプレイ画面１４にフルラミネーションされる。代替として、カバー・プレート１２が、ディスプレイ画面１４にまずフルラミネーションされてよく、次に、ディスプレイ画面１４の底面１４６が、頂部分１６２上に接着される。
【００６８】
本明細書全体にわたって「或る実施形態」、「一部の実施形態」、「例示的な実施形態」、「例」、「特定の例」、または「一部の例」について述べていることは、実施形態または例に関連して説明される特定の特徴、構造、材料、または特性が、本開示の少なくとも１つの実施形態または例に含まれることを意味する。このため、本明細書全体にわたる様々な箇所におけるそれらの句の前述の出現は、必ずしも、本開示の同一の実施形態または例を参照しているわけではない。さらに、特定の特徴、構造、材料、または特性は、１つまたは複数の実施形態または例において任意の適切な様態で組み合わせられてよい。
【００６９】
さらに、「第１の」および「第２の」などの用語は、説明の目的で本明細書において使用され、相対的な重要度もしくは有意性を示す、または暗示するようには意図されていない。このため、「第１の」および「第２の」で規定される特徴は、この特徴のうちの１つまたは複数を備えてよい。本開示の説明において、「複数の」という用語は、特に明記されない限り、２つ以上を意味する。
【００７０】
例示的な実施形態が示され、説明されてきたが、前述の実施形態は、本開示を限定するように解釈されてはならず、本開示の原理および範囲を逸脱することなく、実施形態において変更、代替、および変形が行われてよいことが、当業者には認識されよう。本開示の範囲は、特許請求の範囲、および特許請求の範囲の均等物によって限定される。
【図１】
0006895524.tif 000002
【図２】
0006895524.tif 000003
【図３】
0006895524.tif 000004
【図４】
0006895524.tif 000005
【図５】
0006895524.tif 000006
【図６】
0006895524.tif 000007
【図７】
0006895524.tif 000008
【図８】
0006895524.tif 000009
【図９】
0006895524.tif 000010